(57)【要約】【課題】ユーザが設定や解除をしなくてもＰＣを画像表示システムに利用しているときにだけ、スクリーンセーバの起動を防止できる画像表示システムを提供する。【解決手段】画像表示システムはコンピュータ１と表示装置３を有している。表示装置３は、所定の時間が経過する毎に、スクリーンセーバが働かないコード情報を生成してコンピュータ１に送信する。コンピュータ１は表示装置３から受信したコード情報の示す操作に応じた動作を実行する。【選択図】図１Ｂ
2008070434.tif 000002
【特許請求の範囲】
【請求項１】
スクリーンセーバが実装されたコンピュータと、
前記コンピュータと接続され、該コンピュータから出力された画像を受信して表示するとともに、前記スクリーンセーバが働かないコード情報を定期的に前記コンピュータに送信する表示装置と、を有する画像表示システム。
【請求項２】
前記コンピュータは、操作デバイスに対する操作の無い状態が予め定められた一定時間だけ継続すると起動して画面の表示を所定の画像に切り替えるスクリーンセーバが実装されており、前記画面に表示するのと同じ画像を出力し、
前記表示装置は、前記コンピュータから出力された前記画像を受信して表示するとともに、該コンピュータに接続された前記操作デバイスに操作がされたことを擬似するコード情報を、前記スクリーンセーバが起動する前記一定時間より短い時間間隔で定期的に前記コンピュータに送信する、請求項１に記載の画像表示システム。
【請求項３】
前記表示装置は、
前記操作デバイスを識別するデバイス情報と前記時間間隔を予め記憶しており、前記時間間隔が経過する毎に、前記デバイス情報に対応する前記コード情報を生成し前記コンピュータに送信する、請求項１または２に記載の画像表示システム。
【請求項４】
前記コンピュータと前記表示装置はネットワークを介して相互に接続されており、
前記表示装置は、前記コンピュータを識別するアドレス情報を記憶しておき、前記アドレス情報によって前記コンピュータを宛先に指定して前記時間間隔で前記コード情報を送信する、請求項１から３のいずれか１項に記載の画像表示システム。
【請求項５】
前記表示装置が擬似する前記操作デバイスは、マウスとキーボードのいずれかである、請求項１から４のいずれか１項に記載の画像表示システム。
【請求項６】
前記コンピュータに接続されており、無線式の操作デバイスが操作されたことを示す無線信号を受信して前記コンピュータに送る受信装置を更に有し、
前記表示装置は前記操作デバイスが操作されたことを擬似するコード情報を生成して無線信号として前記受信装置に送信する、請求項１から５のいずれか１項に記載の画像表示システム。
【請求項７】
表示装置に画像を表示させるコンピュータ上のスクリーンセーバの起動を防止するためのスクリーンセーバ起動防止方法であって、
前記表示装置にて前記コンピュータから出力された前記画像を受信して表示するとともに、前記スクリーンセーバが働かないコード情報を定期的に前記コンピュータに送信する、スクリーンセーバ起動防止方法。
【請求項８】
前記コンピュータからの画像を表示する前記表示装置にて、前記スクリーンセーバの起動する第１の時間間隔よりも短い第２の時間間隔を予め記憶しており、
前記表示装置にて前記第２の時間間隔の経過を計測し、該第２の時間間隔が経過する毎に操作デバイスに対する操作を擬似するコード情報を前記コンピュータに送信する、請求項７に記載のスクリーンセーバ起動防止方法。
【請求項９】
前記表示装置は前記操作デバイスを識別するデバイス情報を予め記憶しており、該第２の時間間隔が経過する毎に、前記デバイス情報に対応する前記コード情報を生成して前記コンピュータに送信する、請求項７または８に記載のスクリーンセーバ起動防止方法。
【請求項１０】
前記コンピュータと前記表示装置はネットワークを介して相互に接続されており、
前記表示装置は前記コンピュータを識別するアドレス情報を記憶しておき、前記アドレス情報によって前記コンピュータを宛先に指定して前記コード情報を送信する、請求項７から９のいずれか１項に記載のスクリーンセーバ起動防止方法。
【請求項１１】
前記操作デバイスは、マウスとキーボードのいずれかである、請求項７から１０のいずれか１項に記載のスクリーンセーバ起動防止方法。
【請求項１２】
無線式の操作デバイスが操作されたことを示す無線信号を受信して前記コンピュータに送る受信装置が前記コンピュータに接続されており、
前記表示装置は前記無線式の操作デバイスが操作されたことを擬似するコード情報を生成して無線信号として前記受信装置に送信する、請求項７から１１のいずれか１項に記載のスクリーンセーバ起動防止方法。
【請求項１３】
コンピュータからの画像を表示する画像表示装置であって、
前記コンピュータ上のスクリーンセーバの起動する第１の時間間隔よりも短い第２の時間間隔を予め記憶しており、前記第２の時間間隔の経過を計測する情報管理部と、
前記情報管理部における計測で前記第２の時間間隔が経過する毎に、前記コンピュータに接続された操作デバイスに対する操作を擬似するコード情報を生成するコード生成部と、
前記コード生成部で生成されたコード情報を前記コンピュータに送信する送信部と、を有する画像表示装置。
【請求項１４】
前記情報管理部は、
更に予め前記操作デバイスを識別するデバイス情報を記憶しておき、前記第２の時間間隔が経過する毎に、前記デバイス情報に対応する前記コード情報を生成し前記コンピュータに送信する、請求項１３に記載の画像表示装置。
【請求項１５】
前記表示装置と前記コンピュータはネットワークを介して相互に接続されており、
前記コード情報生成部は、前記コンピュータを識別するアドレス情報を記憶しておき、生成した前記コード情報の宛先として前記アドレス情報によって前記コンピュータを指定する、請求項１３または１４に記載の画像表示装置。
【請求項１６】
前記表示装置が擬似する前記操作デバイスは、マウスとキーボードのいずれかである、請求項１３から１５のいずれか１項に記載の画像表示装置。
【請求項１７】
無線式の操作デバイスが操作されたことを示す無線信号を受信する受信装置が前記コンピュータに接続されており、
前記送信部は前記無線式の操作デバイスが操作されたことを擬似するコード情報を生成して無線信号として前記受信装置に送信する、請求項１３から１６のいずれか１項に記載の画像表示装置。
【発明の詳細な説明】
【技術分野】
【０００１】
本発明は、コンピュータを利用した画像表示システムに関し、特にスクリーンセーバの搭載されたコンピュータにより制御する画像表示システムに関する。
【背景技術】
【０００２】
デスクトップ型パーソナルコンピュータやノート型パーソナルコンピュータなどのＰＣ（Ｐｅｒｓｏｎａｌ  Ｃｏｍｐｕｔａｒ）から表示装置に画像のデータを送り、表示装置からスクリーンに画像を投射する画像表示システムがある。
【０００３】
通常、ＰＣにはスクリーンセーバの機能が搭載されている。スクリーンセーバにはモニタ画面の焼き付きを防ぐ効果や見る人を楽しませる効果があり、ＰＣに接続されたマウスやキーボードなどの操作デバイスを操作しない時間が所定の時間を超えると、スクリーンセーバが起動する。
【０００４】
このようなスクリーンセーバはユーザの予期しないタイミングで起動することがある。プレゼンテーションに用いているＰＣを操作しない時間が所定の時間を超えると、スクリーンに投射された画像がプレゼンテーション中に突然、スクリーンセーバの画像に切り替わる。
【０００５】
図８は、一般的な画像表示システムの構成例を示すブロック図である。この例は、画像表示システムをプレゼンテーションに用いた例であり、スクリーン上に発表内容の画像が表示されている。
【０００６】
図８Ａおよび図８Ｂを参照すると、画像表示システムは、ＰＣ１、スクリーン２、表示装置３、および接続ケーブル４を有している。
【０００７】
図８Ａで示されたＰＣ１は、接続ケーブル４を介して表示装置３と接続されており、自身のモニタ画面に画像を表示させるとともに同一の画像を表示装置３に送る。表示装置３は、ＰＣ１と接続ケーブル４で接続されており、接続ケーブル４を介してＰＣ１から画像を受信し、図８Ｂに示されたスクリーン２に投射する。スクリーン２は、表示装置３から投射された画像を表示する。
【０００８】
図９は、図８に示した画像表示システムにおいてスクリーン上にスクリーンセーバの画像が表示されている例を示す模式図である。図９Ｂで示されるスクリーンセーバの画像がＰＣ１のモニタ画面上に表示されると共にその画像が図９Ａで示されるスクリーン２に表示されている。例えば、発表者はＰＣ１の設置場所から離れた位置でプレゼンテーションを行っているとする。
【０００９】
プレゼンテーション中にスクリーンセーバが起動してしまうと、発表者は、ＰＣ１を設置している場所に戻り、ＰＣ１を操作してスクリーンセーバを解除する必要があった。または、このように意図しないタイミングでスクリーンセーバを再び起動させないようにするため、発表者は予めスクリーンセーバの設定を「オフ」にしておく必要があった。
【００１０】
また、上述したプレゼンテーションだけでなく、テレビ会議にもＰＣが利用されることが多い。参加者がＰＣを用いて表示される画面を見ながら会議を進めるが、会議中のＰＣに対する操作の頻度は高くない。ＰＣを操作しない時間が所定の時間を超えると、テレビ会議中の画像が突然、スクリーンセーバの画像に切り替わる。
【００１１】
特許文献１は、テレビ会議中のスクリーンセーバの起動を防止するシステムを提案している。特許文献１では、予めテレビ会議のための専用のアプリケーションをＰＣにインストールしておき、会議を開始するとき起動させ、会議中、そのアプリケーションを動作させておく。このアプリケーションには、会議中にスクリーンセーバの起動を防止する機能が組み込まれている。その機能によってアプリケーションは、定期的にマウスポインタの位置を擬似的に移動させるイベントを発生させて、スクリーンセーバの起動を防止する。なお、マウスポインタとは、ＰＣの画面上に表示される、例えば、矢印の形をした記号のことである。
【００１２】
ユーザはアプリケーションの初期設定としてイベントを発生させるための時間を設定しておく。設定した時間が経過すると、マウスポインタの位置を検出するＡＰＩ（Ａｐｐｌｉｃａｔｉｏｎ  Ｐｒｏｇｒａｍ  Ｉｎｔｅｒｆａｃｅ）がコールされる。次に、検出されたマウスポインタの位置を所定の位置に移動させるＡＰＩがコールされる。そして、マウスポインタの位置を移動させるイベントが発生する。これにより、テレビ会議中のスクリーンセーバの起動が防げる。
【特許文献１】特開平１０−２３４０２７号公報
【発明の開示】
【発明が解決しようとする課題】
【００１３】
しかしながら、画像表示システムでは本来テレビ会議システムのような専用のアプリケーションが必要ない。特許文献１の技術を画像表示システムに適用することを想定すると、ＰＣ上でスクリーンセーバの起動を防止するために、スクリーンセーバを制御する機能だけを単独のアプリケーションとして動作させることとなる。
【００１４】
その場合、スクリーンセーバに意図する動作をさせるためにユーザは単独での使用と画像表示システムでの使用とを切り替える度にアプリケーションを動作させたり、解除したりする必要があった。
【００１５】
また、ＰＣは画像表示システムだけでなく他の用途にも兼用される場合が多い。同じＰＣを単独で利用するとき、スクリーンセーバの起動を防止するアプリケーションを解除し忘れれば、スクリーンセーバの起動が防止されてしまう。その結果、本来起動させたいときにもスクリーンセーバの起動が防止させてしまう可能性があるという問題があった。
【００１６】
本発明の目的は、ユーザが設定や解除をしなくてもＰＣを画像表示システムに利用しているときにだけ、スクリーンセーバの起動を防止できる画像表示システムを提供することにある。
【課題を解決するための手段】
【００１７】
上記目的を達成するために、本発明の画像表示システムは、
スクリーンセーバが実装されたコンピュータと、
前記コンピュータと接続され、該コンピュータから出力された画像を受信して表示するとともに、前記スクリーンセーバが働かないコード情報を定期的に前記コンピュータに送信する表示装置と、を有する。
【００１８】
本発明によれば、表示装置は、所定の時間が経過する毎に、スクリーンセーバが働かないコード情報を生成してコンピュータに送信する。コンピュータは表示装置から受信したコード情報から所望の動作を実行する。
【００１９】
また、表示装置は予めコンピュータのＩＰアドレスを記憶しておく。所定の時間が経過すると、表示装置３は、コード情報を生成し、記憶しておいたＩＰアドレスを宛先とするパケットによりＰＣ１に送信する。表示装置３からパケットを受信すると、ＰＣ１はパケットを解析し所望の動作を実行する。
【００２０】
これによれば、表示装置とコンピュータは有線ＬＡＮを介して接続されているときには、表示装置はノイズの少ない安定したコード情報を送ることができる。
【発明の効果】
【００２１】
本発明によれば、ユーザが設定や解除をしなくてもＰＣを画像表示システムに利用しているときにだけ、スクリーンセーバの起動を防止できる。
【発明を実施するための最良の形態】
【００２２】
本発明を実施するための形態について図面を参照して詳細に説明する。
【００２３】
図１は、本実施形態の無線通信を利用したスクリーンセーバ制御システムの構成を示す模式図である。スクリーンセーバ制御システムは、ＰＣ１、スクリーン２、表示装置３、接続ケーブル４、および受信装置５を有している。
【００２４】
図１Ｂで示されるＰＣ１は、表示装置３と接続ケーブル４で接続されており、接続ケーブル４を介して表示装置３に画像を送信する。また、ＰＣ１は、受信装置５と接続されており、受信装置３から動作指令の要求を受けると、要求された動作を実行する。
【００２５】
図１Ａで示されるスクリーン２は、図１Ｂで示される表示装置３から投射された画像を表示する投射面である。この例では投射面として専用のスクリーン２が用いられているが、壁などで代用してもよい。
【００２６】
図１Ｂで示される表示装置３は、接続ケーブル４でＰＣ１と接続されている。表示装置３は、ＰＣ１から接続ケーブル４を介して画像を受信してスクリーン２に投射するとともに、所定の時間が経過すると、ワイヤレスマウスの発する制御信号を擬似するようなコード情報を生成して受信装置５に送信する。
【００２７】
図１Ｂで示される受信装置５は、ワイヤレスマウス（不図示）から制御信号を受信する受信装置であり、制御信号を受信するとＰＣ１に所望の動作を要求する。また、受信装置５は、表示装置３からのコード情報をワイヤレスマウスからの制御信号として認識し、コード情報によって示される動作をＰＣ１に要求する。
【００２８】
図２は、本実施形態の表示装置３の構成を示すブロック図である。本装置は、情報管理部３１、コード生成部３３、変調部３４、送信アンテナ３５、外部接続部３６、および画像出力部３７を有している。
【００２９】
情報管理部３１は、ワイヤレスマウスやキーボードなど各操作デバイスを識別する情報（以下「デバイス識別情報」という）とコード情報を生成する時間間隔（以下「コード情報生成時間」という）を管理する。
【００３０】
ユーザは、各デバイスの中から任意に１つのデバイスを選択するとともに、コード情報を生成する時間を任意に選択する。その際、ユーザはスクリーンセーバの起動する時間より短いコード情報生成時間を設定すればよい。設定したコード情報生成時間に基づいて、情報管理部３１はコード生成部３２にデバイス識別情報を送る。
【００３１】
コード生成部３３は、情報管理部３１からデバイス識別情報を受けると、デバイス識別情報に応じた所定のコード情報を生成し変調部３４に送る。
【００３２】
変調部３４は、コード生成部３３からコード情報を受けて、所定の周波数領域まで変調し送信アンテナ３５を介して、ＰＣ１に接続されている受信装置５に無線で送る。
【００３３】
外部接続部３６は、外部の周辺装置と接続するためのインターフェースである。外部接続部３６は、ＰＣ１のインターフェースと接続ケーブル４で接続されており、ＰＣ１から画像を受信すると、画像出力部３６に送る。
【００３４】
画像出力部３７は、外部接続部３６から画像を受けると、スクリーン２に投射する。
【００３５】
図３は、本実施形態の表示装置３の動作を示すフローチャートである。情報管理部３１はユーザにより任意に選択されたワイヤレスマウスのデバイス識別情報とコード情報生成時間と、コード情報を生成した時刻（初期状態では、表示装置３の電源投入の時刻）とを予め記憶しておく。
【００３６】
情報管理部３１は、記憶した時刻を基準として所定の時刻までの経過時間を測定する（ステップ１００）。続いて、情報管理部３１は、測定した経過時間とコード情報生成時間とを比較する（ステップ１０１）。経過時間がコード情報生成時間より短ければステップ１００に戻る。経過時間がコード情報生成時間より長ければ、情報管理部３１は、コード生成部３３にデバイス識別情報を送るとともに、その時刻を記憶する（ステップ１０２）。
【００３７】
コード生成部３３は、情報管理部３１からデバイス識別情報を受けると、ワイヤレスマウスを動かすような所定のコード情報を生成し変調部３４に送る（ステップ１０３）。変調部３４は、コード生成部３３から送られたコード情報を所定の周波数領域まで変調する（ステップ１０４）。変調されたコード情報は、送信アンテナ３５から、コンピュータ３５に接続された受信装置５へ送られる（ステップ１０５）。
【００３８】
図４Ａは、コード情報生成時間を設定する画面の一例である。
【００３９】
一般的に表示装置３の環境設定を行うとき、ユーザは表示装置３から環境設定の画像をスクリーン２に投射させる。そして、ユーザは、投射された画像を参照しながら表示装置３上のボタン等を操作して環境設定を行う。ここでは一例としてコード情報生成時間の設定を一般的な環境設定と同様の方法で行うものとする。
【００４０】
ユーザは表示装置３からコード情報の設定の画像をスクリーン２に投射させる。そして、ユーザは、投射された画像を参照しながら表示装置３のボタンを操作してコード情報の設定を行う。
【００４１】
図４Ａの例では、表示装置３から投射されたスクリーン２に「オフ」、「１分」、「５分」、「１０分」の４つの項目が表示されている。ユーザはその中からいずれか１つを選択する。図４Ａでは「５分」が選択されている。
【００４２】
図４Ｂは、デバイス識別情報を設定する画面の一例である。ここでは一例としてデバイス識別情報の設定も一般的な環境設定と同様の方法で行うものとする。ユーザは（１）ワイヤレスマウス、（２）ワイヤレスキーボード、（３）マウス（ＵＳＢ（Ｕｎｉｖｅｒｓａｌ  Ｓｅｒｉａｌ  Ｂｕｓ），ＰＳ／２）、（４）キーボード、および（５）タッチパッドの中からいずれか１つを選択する。図４Ｂでは、「（１）ワイヤレスマウス」が選択されている。
【００４３】
デバイス識別情報の設定とコード情報生成時間の設定とが完了すると、表示装置３は設定されたコード情報生成時間「５分」とデバイス識別情報「（１）ワイヤレスマウス」とを記録する。以上の設定により表示装置３は５分が経過毎にワイヤレスマウスのコード情報を生成する。
【００４４】
また、ユーザが（４）キーボードを選択すると、表示装置３は所定のキーのコード情報を生成する。キーのコード情報は、「Ｃｔｒｌ」、「ＮｕｍＬｏｃｋ」、「Ｓｈｉｆｔ」などプレゼンテーションをするときに、差し支えのないキーであれば何れでもよい。生成するキーのコード情報は、予め表示装置２に記憶しておいてもよいし、任意に選択できるようにしておいてもよい。
【００４５】
図５は、スクリーン２に表示されたマウスポインタを示す図である。表示装置３からスクリーン２に投射されたマウスポインタ２１は、スクリーン２の左上の位置に表示されている。所定の時間が経過すると、表示装置３はマウスポインタを移動させるコード情報を生成して受信装置５に送信する。ＰＣ１は、受信装置５で受信したコード情報の要求を受けて、マウスポインタ２１をマウスポインタ２２の位置まで移動させる。なお、マウスポインタ２１の位置は、スクリーン２の左上の位置に表示されているがスクリーン２の右上の位置あるいはスクリーン２の右下の位置など、発表を妨げないような位置であれば何れでもよい。
【００４６】
以上説明したように、本実施形態によれば、表示装置３は、所定の時間が経過する毎に、スクリーンセーバが働かないコード情報を生成してＰＣ１に送信する。ＰＣ１は表示装置３から受信したコード情報の示す操作に応じた動作を実行する。この動作によってＰＣ１上のスクリーンセーバの起動が防止される。ＰＣ１は、表示装置３と共に画像表示システムに利用されているときには、スクリーンセーバを起動させず、画像表示システムに利用されていないときにはスクリーンセーバを起動させる。
【００４７】
なお、本実施形態では、受信装置５をＰＣ１の外部に設置する場合を例示したが、本発明はこれに限定されるものではない。他の例として、受信装置５をＰＣ１の内部に設置してもよい。この場合、ＰＣ１に内蔵されている赤外線通信、および無線ＬＡＮ（Ｌｏｃａｌ  Ａｒｅａ  Ｎｅｔｗｏｒｋ）、Ｂｌｕｅｔｏｏｔｈ（登録商標）など無線通信の機能を利用して表示装置３からコード情報を受信する。
【００４８】
また、本実施形態では、ＰＣ１は接続ケーブル４を介して画像を表示装置３に送る例を示したが、本発明はこれに限定されるものではない。他の例として、無線通信を利用してＰＣ１から表示装置３に画像を送るようにしてもよい。これによれば、ケーブル接続を接続する時間が省ける。
【００４９】
次に、本発明の他の実施形態について説明する。ここでは、表示装置３は有線通信によりＰＣ１にコード情報を送る例を示す。
【００５０】
図６は、有線通信を用いたスクリーンセーバ制御システムの構成を示す模式図である。この例では有線通信の例として有線ＬＡＮが用いられている。スクリーンセーバ制御システムは、ＰＣ１、スクリーン２、および表示装置３を有する。
【００５１】
図６Ｂで示されたＰＣ１と表示装置３は共に有線ＬＡＮ６で接続されており、互いにパケットを送受信できる。また、ＰＣ１には、表示装置３からのパケットを解析するアプリケーションがインストールされている。
【００５２】
ＰＣ１は、予め自身のためのＩＰ（Ｉｎｔｅｒｎｅｔ  Ｐｒｏｔｏｃｏｌ）アドレスを取得しているものとする。取得するＩＰアドレスは動的なＩＰアドレスでも静的なＩＰアドレスでもよい。ＰＣ１は、有線ＬＡＮ６により、画像を表示装置３に送信するとともに、表示装置３からマウスポインタを所定の位置に動かすコード情報をパケットとして受信する。表示装置３からパケットを受信すると、ＰＣ１はそのパケットを解析してマウスポインタを所定の位置に移動させる。
【００５３】
表示装置３はＰＣ１のＩＰアドレスを予め記憶する。予め設定された時間間隔で、表示装置３は、コード情報を生成し、記憶しておいたＩＰアドレスを宛先とするパケットによってＰＣ１に送信する。また、表示装置３はＰＣ１から受信した画像を図６Ａで示されたスクリーン２に表示させる。
【００５４】
図７は、ＰＣ１と有線ＬＡＮで接続された表示装置３の動作を示すフローチャートである。表示装置３は有線ＬＡＮに接続されているＰＣ１のＩＰアドレスを記憶する（ステップ７００）。表示装置３はコード情報を送信する時間間隔を記憶する（ステップ７０１）。
【００５５】
表示装置３は、記憶している時間間隔で、ＰＣ１にパケットを送信する（ステップ７０２）。
【００５６】
以上、説明したように本実施形態によれば、表示装置３は予めＰＣ１のＩＰアドレスを記憶しておく。所定の時間が経過すると、表示装置３は、コード情報を生成し、記憶しておいたＩＰアドレスを宛先とするパケットによりＰＣ１に送信する。表示装置３からパケットを受信すると、ＰＣ１はパケットを解析し所望の動作を実行する。表示装置３とＰＣ１は有線ＬＡＮで接続されており、表示装置３はノイズの少ない安定したコード情報をＰＣ１に送ることができる。
【図面の簡単な説明】
【００５７】
【図１Ａ】本実施形態の無線通信を利用したスクリーンセーバ制御システムのスクリーン２の表示画面例を示す図である。
【図１Ｂ】本実施形態の無線通信を利用したスクリーンセーバ制御システムのＰＣ１と表示装置３との接続を示す図である。
【図２】本実施形態の表示装置３の構成を示すブロック図である。
【図３】本実施形態の表示装置３の動作を示すフローチャートである。
【図４Ａ】コード情報生成時間を設定する画面の一例である。
【図４Ｂ】コード情報識別番号を設定する画面の一例である。
【図５】スクリーン２に表示されたマウスポインタを示す図である。
【図６Ａ】社内ＬＡＮを経由したスクリーンセーバ制御システムのスクリーン２の画面例を示す図である。
【図６Ｂ】社内ＬＡＮを経由したスクリーンセーバ制御システムのＰＣ１と表示装置３との接続を示す図である。
【図７】ＰＣ１と有線ＬＡＮで接続された表示装置３の動作を示すフローチャートである。
【図８Ａ】一般的な画像表示システムのスクリーン２の画面例を示す図である。
【図８Ｂ】一般的な画像表示システムのＰＣ１と表示装置３との接続を示す図である。
【図９Ａ】図９で示すスクリーン２の画面例を示す模式図である。
【図９Ｂ】図９で示す画像表示システムにおけるＰＣ１と表示装置３との接続を示す図である。
【符号の説明】
【００５８】
１    ＰＣ
２    スクリーン
３    表示装置
４    接続ケーブル
５    受信装置
６    有線ＬＡＮ
２１，２２  マウスポインタ
３１  情報管理部
３３  コード生成部
３４  変調部
３５  送信アンテナ
３６  外部接続部
３７  画像出力部
１００〜１０５，７００〜７０２  ステップ
【図１Ａ】
2008070434.tif 000003
【図１Ｂ】
2008070434.tif 000004
【図２】
2008070434.tif 000005
【図３】
2008070434.tif 000006
【図４Ａ】
2008070434.tif 000007
【図４Ｂ】
2008070434.tif 000008
【図５】
2008070434.tif 000009
【図６Ａ】
2008070434.tif 000010
【図６Ｂ】
2008070434.tif 000011
【図７】
2008070434.tif 000012
【図８Ａ】
2008070434.tif 000013
【図８Ｂ】
2008070434.tif 000014
【図９Ａ】
2008070434.tif 000015
【図９Ｂ】
2008070434.tif 000016